(57)【特許請求の範囲】
【請求項１】
ケース及び前記ケースに設置された少なくとも２つの支持部材を備える保護ケースにおいて、
各支持部材は、第一回転部、第二回転部、第一接続部、第二接続部、及び支持部を備え、前記第一回転部は、前記ケースに回転可能に設置され、前記第二回転部は、前記第一回転部に回転可能に設置され、前記第二回転部の回転軸は、前記第一回転部の回転軸に平行ではなく、
前記保護ケースは、前記ケースに固定された取り付け部を備え、
前記保護ケースは、前記取り付け部における前記ケースと近接する一側に固定された固定部を備え、前記取り付け部は、側方アームを備え、前記固定部は、前記側方アームと間隔をあけて設置され、且つ前記側方アームと共同で収容空間を形成し、前記第一接続部、前記第二接続部及び前記支持部は折り畳んで前記収容空間に収容されることを特徴とする保護ケース。
【請求項２】
前記第一接続部は、第一ヒンジ端を備え、前記第一ヒンジ端は、前記第二回転部に回転可能に設置されることを特徴とする請求項１に記載の保護ケース。
【請求項３】
前記第一接続部は、前記第一ヒンジ端と反対の第一実装部を備え、前記第二接続部は、第二ヒンジ端を備え、前記第二ヒンジ端は、前記第一実装部に回転可能に設置されることを特徴とする請求項２に記載の保護ケース。
【請求項４】
前記第二接続部は、前記第二ヒンジ端と反対の第二実装部を備え、前記支持部は、前記第二実装部に回転可能に設置されることを特徴とする請求項３に記載の保護ケース。
【請求項５】
前記第一回転部の回転軸は、前記ケースに垂直であり、前記第二回転部の回転軸は、前記第一回転部の回転軸に垂直であり、前記第一接続部の回転軸、前記第二接続部の回転軸及び前記支持部の回転軸は、それぞれ前記第一回転部の回転軸に平行であることを特徴とする請求項４に記載の保護ケース。
【請求項６】
前記取り付け部は、前記ケースと間隔をあけて設置され、前記第一接続部、前記第二接続部及び前記支持部は折り畳んで前記取り付け部と前記ケースとの間に収容されることを特徴とする請求項４又は５に記載の保護ケース。
【請求項７】
各第一接続部は、前記第一ヒンジ端と前記第一実装部とを接続する第一本体を備え、前記第一本体には、突出部が設けられ、前記側方アーム或いは前記固定部には、前記突出部と対向するロック部が形成され、前記突出部は、前記ロック部と着脱可能に設置されることを特徴とする請求項６に記載の保護ケース。
【請求項８】
前記第二ヒンジ端は、１つのヒンジを介して前記第一実装部と回転可能に接続され、前記ヒンジは、停止部及び組合部を備え、前記停止部は、前記第二ヒンジ端及び前記第一実装部を移動可能に通過し、前記組合部は、前記停止部に固定されることを特徴とする請求項３から７のいずれか一項に記載の保護ケース。
【請求項９】
前記ヒンジは、２つのガスケットを備え、前記第一実装部は、互いに平行な２つの第一装着部を備え、前記第二ヒンジ端は、２つの前記第一装着部の間に位置し、各ガスケットは、各第一装着部における前記第二ヒンジ端から離れている一側に設置され、前記停止部は、１つの前記第一装着部、前記第二ヒンジ端及び別の前記第一装着部の順に通過し、前記組合部は、前記停止部と螺合接続されることを特徴とする請求項８に記載の保護ケース。
【発明の詳細な説明】
【技術分野】
【０００１】
本発明は、保護ケースに関し、特に支持部材を有する保護ケースに関するものである。
【背景技術】
【０００２】
携帯情報端末は、携帯型の電子製品であり、通信或いはエンターテイメントツールとして使用されている。エンターテイメントツールとして電子商品（例えば、ビデオ）を見る場合、支持部材を利用して電子製品を予め設定された角度に固定する。従来の電子製品のケースには、回転可能な支持板及び該支持板とケースとを接続させる接続部が設置されており、この接続部は、柔軟性を有する。従って、使用する際、支持板を開いて、予め設定された角度に固定する。しかし、ケースに設置されている支持板を開いた後、支持板とケースとの間の角度は固定されているため、電子製品の支持角度を調節できない。
【発明の概要】
【発明が解決しようとする課題】
【０００３】
以上の問題点に鑑みて、本発明は、支持角度を調節できる保護ケースを提供することを目的とする。
【課題を解決するための手段】
【０００４】
上記の課題を解決するために、保護ケースは、ケース及び該ケースに設置された少なくとも２つの支持部材を備え、各支持部材は、第一回転部及び第二回転部を備え、第一回転部は、ケースに回転可能に設置され、第二回転部は、第一回転部に回転可能に設置され、第二回転部の回転軸は、第一回転部の回転軸に平行ではない。
【発明の効果】
【０００５】
本発明の保護ケースの支持部材はケースに設置されているため、電子製品の視聴角度を調節する際、各支持部材のみを調節すればよいので、保護ケースの操作が簡単である。
【図面の簡単な説明】
【０００６】
【図１】本発明に係る保護ケースの斜視図である。
【図２】図１に示した保護ケースの分解斜視図である。
【図３】図２に示した支持部材の分解斜視図である。
【図４】図１に示した支持部材の変化を表した斜視図である。
【図５】図４に示した支持部材の変化を表した斜視図である。
【図６】図５に示した支持部材の変化を表した斜視図である。
【図７】図６に示した支持部材の変化を表した斜視図である。
【図８】図７に示した支持部材の変化を表した斜視図である。
【図９】図１に示した保護ケースの使用状態を表した斜視図である。
【図１０】図１に示した保護ケースの別の使用状態を表した斜視図である。
【発明を実施するための形態】
【０００７】
図１に示したように、保護ケース１００は、ケース１０、取り付け部材３０及び支持部材５０を備える。ケース１０は、携帯情報端末（図示せず）に設置される。本実施形態において、支持部材５０の数量は、４つであり、取り付け部材３０及び４つの支持部材５０は、それぞれケース１０に固定され、４つの支持部材５０は、折り畳み可能に取り付け部材３０内に収容される。
【０００８】
図２を併せて参照すると、ケース１０には、固定孔１１及び取り付け孔１３が設けられている。本実施形態において、固定孔１１及び取り付け孔１３の数量は、それぞれ４つであり、４つの固定孔１１の両側に取り付け孔１３が２つずつ設置されている。４つの固定孔１１及び４つの取り付け孔１３は、それぞれ円柱状を呈す孔である。４つの固定孔１１の中心点を接続した接続線は、仮想の正方形を形成し、４つの取り付け孔１３の中心点を接続した接続線は、仮想の長方形を形成する。
【０００９】
図３を併せて参照すると、取り付け部材３０は、取り付け部３１及び該取り付け部３１に固定されている２つの固定部３３を備える。取り付け部３１は、設置部３１１及び該設置部３１１に固定されている２つの延在部３１３を備える。設置部３１１は、フレーム状を呈す。設置部３１１は、互いに対向して設置された２つの側方アーム３１１１を備える。各延在部３１３は、それぞれ対応する側方アーム３１１１に固定されている。２つの延在部３１３は、２つの側方アーム３１１１の間に位置している。これら２つの延在部３１３は互いに平行である。各延在部３１３の両端には、それぞれ通孔３１３１が設けられている。２つの延在部３１３の４つの通孔３１３１は、それぞれケース１０の４つの固定孔１１に対応する。第一固定ピン３０１は、取り付け部３１の各通孔３１３１と該通孔３１３１に対応するケース１０の固定孔１１とを通過する。これにより、取り付け部３１は、ケース１０に固定される。各固定部３３は、対応する延在部３１３に近接してケース１０の一側に固定され、この際各固定部３３は、対応する設置部３１１の側方アーム３１１１から予め設定された距離離れており、各固定部３３と対応する側方アーム３１１１との間には収容空間３１０が形成されている。
【００１０】
各側方アーム３１１１には、２つの第一ロック部３１１３が設けられており、各固定部３３における対応する側方アーム３１１１に向かう側面には、２つの第二ロック部３３１が設けられている（図９を参照）。各固定部３３の２つの第二ロック部３３１は、それぞれ対応する側方アーム３１１１の第一ロック部３１１３と対向する。本実施形態において、第一ロック部３１１３と第二ロック部３３１との構造は同じであり、それぞれ楕円形を呈す孔である。
【００１１】
４つの支持部材５０は、それぞれケース１０における取り付け部材３０に近接する一側に回転可能に設置されている。２つの支持部材５０は、一方の側方アーム３１１１に近接して設置され、別の２つの支持部材５０は、他方の側方アーム３１１１に近接して設置されている。各支持部材５０は、第一回転部５１、第二回転部５３、第一接続部５５、第二接続部５６及び支持部５７を備える。第一回転部５１は、ケース１０に回転可能に設置されている。第一回転部５１は、第一主体５１１及び第一主体５１１から延在した２つの第一突起５１３を備える。第一主体５１１は、円柱状を呈し、第一主体５１１には、第一主体５１１の軸線方向に沿って内側に階段状に形成された第一貫通孔５１１１が設けられている。第一主体５１１は、第二固定ピン５０１を介してケース１０に回転可能に設置され、第一主体５１１の回転軸線は、ケース１０に垂直である。第一主体５１１は、第二固定ピン５０１を回転軸として３６０度回転する。より詳細には、第二固定ピン５０１の一端は、移動可能に第一貫通孔５１１１を通過してケース１０に直交し、且つ対応する取り付け孔１３内に固定される。これにより、第一主体５１１は、第二固定ピン５０１を回転軸として回転する。２つの第一突起５１３は、それぞれ第一主体５１１の外周縁から延在して形成され、これら２つの第一突起５１３は互いに平行である。各第一突起５１３は、略円盤状を呈しており、各第一突起５１３の軸線方向は、第一主体５１１の軸線方向に垂直である。各第一突起５１３には、第一突起５１３の軸線方向に沿って、内側に階段状に形成された第一通過孔５１３１が設けられている。
【００１２】
第二回転部５３の一端は、２つの第一突起５１３に回転可能に設置される。第二回転部５３には、第二主体５３１及び該第二主体５３１から延在した２つの第二突起５３３が設けられている。第二主体５３１は、略円柱状を呈す。第二主体５３１には、第二主体５３１の軸線方向に沿って第二貫通孔５３１１が設けられている。第二主体５３１は、１つの第一ヒンジ６０を介して２つの第一突起５１３間に回転可能に設置される。より詳細には、第一ヒンジ６０は、停止部６１、組合部６３及び２つのガスケット６５を備える。停止部６１をその長手方向に切断した際の切断面は、Ｔ字状を呈する。停止部６１の一端は、一方の第一突起５１３の第一通過孔５１３１、第二主体５３１の第二貫通孔５３１１及び他方の第一突起５１３の第一通過孔５１３１の順で移動可能に通過する。組合部６３のその長手方向に切断した際の切断面は、Ｔ字状を呈す。組合部６３の一端は、停止部６１内に収容され、且つ停止部６１と螺合接続する。各第一突起５１３における第二主体５３１から離れている一側には、ガスケット６５が設置される。
【００１３】
２つの第二突起５３３は、それぞれ第二主体５３１の外周縁から延在して形成され、これら２つの第二突起５３３は、互いに平行である。各第二突起５３３は、円盤状を呈し、且つ各第二突起５３３の軸線方向は、第二主体５３１の軸線方向に垂直である。各第二突起５３３には、第二突起５３３の軸線方向に沿ってその内側に階段状に形成された第二通過孔５３３１が設けられている。
【００１４】
第一接続部５５の一端は、２つの第二突起５３３に回転可能に設置される。第一接続部５５は、第一本体５５１、第一ヒンジ端５５３及び第一実装部５５５を備える。第一ヒンジ端５５３及び第一実装部５５５は、それぞれ第一本体５５１の両端から延在して形成されている。第一ヒンジ端５５３には、その内側に階段状に形成された第三貫通孔５５３１が設けられている。第一ヒンジ端５５３は、第二ヒンジ７０を介して対向する２つの第二突起５３３間に回転可能に設置される。本実施形態において、第二ヒンジ７０の構造は、第一ヒンジ６０の構造と同じである。第二ヒンジ７０によって、２つの第二突起５３３と第一ヒンジ端５５３とを接続させる方法は、第一ヒンジ６０によって、２つの第一突起５１３と第二主体５３１とを接続させる方法と同じである。また、第二ヒンジ７０の構造は、第一ヒンジ６０の構造と同じであるので、ここでの第二ヒンジ７０の構造の説明は省略する。
【００１５】
第一実装部５５５は、互いに平行な２つの第一装着部５５５１を備え、各第一装着部５５５１は、円盤状を呈す。各第一装着部５５５１には、その内側に階段状に形成された第三通過孔５５５３が設けられている。
【００１６】
各第一本体５５１には、突出部５５１１が設けられており、該突出部５５１１は、対応する第一ロック部３１１３及び第二ロック部３３１に対向して設置され、且つ第一ロック部３１１３及び第二ロック部３３１との間に着脱可能に設置される。
【００１７】
第二接続部５６の一端は、２つの第一装着部５５５１に回転可能に設置される。第二接続部５６の構造は、第一接続部５５の構造と同じである。第二接続部５６は、第二本体５６１、第二ヒンジ端５６３及び第二実装部５６５を備える。第二ヒンジ端５６３及び第二実装部５６５は、それぞれ第二本体５６１の両端から延在して形成されている。第二ヒンジ端５６３には、その内側に階段状に形成された第四貫通孔５６３１が設けられている。第二ヒンジ端５６３は、１つの第三ヒンジ８０を介して対向する２つの第一装着部５５５１間に回転可能に設置される。本実施形態において、第三ヒンジ８０の構造は、第一ヒンジ６０の構造と同じであり、第三ヒンジ８０によって、２つの第一装着部５５５１と第二ヒンジ端５６３とを接続させる方法は、第一ヒンジ６０によって、２つの第一突起５１３と第二主体５３１とを接続させる方法と同じである。また、第三ヒンジ８０の構造は、第一ヒンジ６０の構造と同じであるので、第三ヒンジ８０の構造のここでの説明は省略する。
【００１８】
第二実装部５６５は、互いに平行な２つの第二装着部５６５１を備え、各第二装着部５６５１は、円盤状を呈す。各第二装着部５６５１には、その内側に階段状に形成された第四通過孔５６５３が設けられている。
【００１９】
支持部５７の一端は、２つの第二装着部５６５１に回転可能に設置される。支持部５７は、棒部５７１及び接続端５７３を備える。接続端５７３は、棒部５７１の一端から延在して形成されている。接続端５７３には、その内側に階段状に形成された第五貫通孔５７３１が設けられており、接続端５７３は、１つの第四ヒンジ９０を介して２つの第二装着部５６５１間に回転可能に設置される。より詳細には、第四ヒンジ９０の構造は、第一ヒンジ６０の構造と同じであり、第四ヒンジ９０によって、２つの第二装着部５６５１と接続端５７３とを接続させる方法は、第一ヒンジ６０によって、２つの第一突起５１３と第二主体５３１とを接続させる方法と同じである。第四ヒンジ９０の構造は、第一ヒンジ６０の構造と同じであるので、第四ヒンジ９０の構造のここでの説明は省略する。第二ヒンジ７０、第三ヒンジ８０、第四ヒンジ９０は、第二固定ピン５０１と平行であり、且つ第一ヒンジ６０に垂直である。
【００２０】
保護ケース１００を組み立てる際、先ず取り付け部材３０をケース１０に固定し、４つの支持部材５０をそれぞれケース１０に回転可能に設置する。次いで、各支持部材５０のうちの第一接続部５５、第二接続部５６及び支持部５７を折り畳んで各支持部材５０のうちの第一接続部５５、第二接続部５６及び支持部５７を互いに平行になるように設置して、対応する収容空間３１０内に収容する。この際、各突出部５５１１は、対応する第一ロック部３１１３及び第二ロック部３３１にロックされる。
【００２１】
保護ケース１００を使用する際、実際の要求に応じて各支持部材５０を開いて、各支持部材５０を調節して、支持部材５０が保護ケース１００を支持する角度を調節する。支持部材５０を使用しない場合、各支持部材５０を折り畳んで、各支持部材５０を対応する収容空間３１０内に収容する。図４〜図８は、支持部材５０の変化を表した図である。他の実施形態において、支持部材５０の調節方法は、図４〜図８に示した変化状態に限定されず、例えば、図９及び図１０に示した変化状態のような他の調節方法もある。また、各支持部材５０を変化させることによって、保護ケース１００を平台に固定したり、壁等に吊るして使用することもできる。
【００２２】
本実施形態において、保護ケース１００の支持部材５０がケース１０に設置されているため、電子商品の視聴角度を調節する際、各支持部材５０のみを調節するだけでよいので、保護ケース１００の操作が簡単である。また、本実施形態において、保護ケース１００の取り付け部材３０がケース１０に固定されているため、支持部材５０を使用しない場合、支持部材５０を折り畳んで、設置部３１１の側方アーム３１１１と対応する固定部３３との間に収容することができるので、携帯に便利である。
【００２３】
他の実施形態において、第一接続部５５、第二接続部５６及び支持部５７を省略し、第二回転部５３の長さを実際の要求に応じて設計し、第二回転部５３を利用して電子製品を支持する。
【００２４】
他の実施形態において、第二回転部５３、第一接続部５５或いは第二接続部５６を支持部として使用する。第二回転部５３を支持部として使用する際、第二突起５３３、第一接続部５５、第二接続部５６及び支持部５７を省略する。同じく、第一接続部５５を支持部として使用する際、第一実装部５５５、第二接続部５６及び支持部５７を省略し、第二接続部５６を支持部として使用する際、第二実装部５６５及び支持部５７を省略する。
【００２５】
他の実施形態において、支持部材５０の数量は、本実施形態の４つに限定されず、支持部材５０の数量は、２つ、３つ或いは４つ以上である。支持部材５０の数量が２つである場合、保護ケース１００は、ケース１０と２つの支持部５７との共同操作によって、平台（図示せず）に固定する。また、２つの支持部５７における第二接続部５６から離れている一端は、矩形状を呈し、保護ケース１００は、２つの支持部５７のみを操作して平台に固定する。他の実施形態において、保護ケース１００は、２つの支持部５７を介して吊るして使用することができる。
【００２６】
他の実施形態において、第一ヒンジ６０のガスケット６５を省略する。また、第一ヒンジ６０のガスケット６５の数量は、４つであり、各第一突起５１３の両側にガスケット６５を設置する。
【００２７】
他の実施形態において、第一回転部５１の回転軸は、本実施形態のようにケース１０に垂直となることに限定されず、第一回転部５１の回転軸は、ケース１０に対して任意の角度に調節することができる。第二回転部５３の回転軸が第一回転部５１の回転軸に平行とならなければ、第二回転部５３の回転軸は、本実施形態のように第一回転部５１の回転軸に垂直となることに限定されない。
【符号の説明】
【００２８】
１００  保護ケース
１０  ケース
１１  固定孔
１３  取り付け孔
３０  取り付け部材
３０１  第一固定ピン
３１  取り付け部
３１０  収容空間
３１１  設置部
３１１１  側方アーム
３１１３  第一ロック部
３１３  延在部
３１３１  通孔
３３  固定部
３３１  第二ロック部
５０  支持部材
５０１  第二固定ピン
５１  第一回転部
５１１  第一主体
５１１１  第一貫通孔
５１３  第一突起
５１３１  第一通過孔
５３  第二回転部
５３１  第二主体
５３１１  第二貫通孔
５３３  第二突起
５３３１  第二通過孔
５５  第一接続部
５５１  第一本体
５５１１  突出部
５５３  第一ヒンジ端
５５３１  第三貫通孔
５５５  第一実装部
５５５３  第三通過孔
５５５１  第一装着部
５６  第二接続部
５６１  第二本体
５６３  第二ヒンジ端
５６３１  第四貫通孔
５６５  第二実装部
５６５１  第二装着部
５６５３  第四通過孔
５７  支持部
５７１  棒部
５７３  接続端
５７３１  第五貫通孔
６０  第一ヒンジ
６１  停止部
６３  組合部
６５  ガスケット
７０  第二ヒンジ
８０  第三ヒンジ
９０  第四ヒンジ
【図１】
0006717574.tif 000002
【図２】
0006717574.tif 000003
【図３】
0006717574.tif 000004
【図４】
0006717574.tif 000005
【図５】
0006717574.tif 000006
【図６】
0006717574.tif 000007
【図７】
0006717574.tif 000008
【図８】
0006717574.tif 000009
【図９】
0006717574.tif 000010
【図１０】
0006717574.tif 000011